(57)【要約】【課題】広面の床や壁の素手で清掃する際、縮小したり、ぼろけたり、ちぎれたり、弾力がなくなり、永続性がなくなる弾性素材を、作業性が良く手も汚れず握りやく且つ数倍長持ちする広面清掃具を提供する。【解決手段】少なくとも被清掃物に当接させる清掃面と、清掃面の外線から延びる側面とを有し、多孔質の弾性素材が立体的に形成された弾性部材と、清掃面の反対側を狭持するボックスとを備えた広面清掃具であって、ボックスは弾性部材を清掃面の外縁に沿う全周を内周係止片で狭持する広面清掃具とする。【選択図】  図７
2018099220.tif 000002
【特許請求の範囲】
【請求項１】
少なくとも被清掃物に当接させる清掃面と、清掃面の外線から延びる側面とを有し、多孔質の弾性素材が立体的に形成された弾性部材と、清掃面の反対側を狭持するボックスとを備えた広面清掃具であって、ボックスは弾性部材を清掃面の外縁に沿う全周を内周係止片で狭持する広面清掃具。  
【請求項２】
弾性部材はボックスと係合し、弾性部材の清掃面と清掃面の反対との高さ比率が1：１〜２：1の高さ位置で狭持する食込み溝が形成される請求項１に記載の広面清掃具。
【請求項３】
ボックスの両短側面を開放し、弾性部材が対面係止片に沿ってスライドさせて先頭端部を露出する請求項１または２に記載の広面清掃具。
【発明の詳細な説明】
【技術分野】
【０００１】
本発明は、面清掃具に関する。
【背景技術】
【０００２】
家庭用でのスポンジ体や多孔質弾性体や束子体で床や壁の手垢や土埃を除去できる清掃具は多種多様にある。
【先行技術文献】
【特許文献】
【０００３】
【特許文献１】特開２０１５− ２０５１４０
【発明の概要】
【発明が解決しようとする課題】
【０００４】
従来、メラミンフォーム、ポリウレタンフォーム、ナイロンわし 、研磨材入り不織布などのスポンジ体や多孔質弾性体で床や壁の手垢や土埃を手軽に除去できる広面清掃具が求められていた。
【０００５】
手のひら大の直方体の樹脂製ボックスの開口部全周に係止片を折り返し、突板状の内周係止片または対面係止片のホルダーを設け、弾性部材の側面に食込みを形成させた弾性により脱落を防ぐ広面清掃具により課題を解決する。
【０００６】
床や壁を素手で清掃する際、素材によっては縮小してぼろけたり、ちぎれたり、吸水後弾力がなくなり、永続使用できなくなる物も素材も多かった。
【０００７】
本発明は、弾性素材自体が引っ張りに弱く破れやすい弾性部材をボックス状のカバーが、破損しやすい部材への圧力を分散させ、形状保持をしながら作業性が良く手も汚れず握りやく、且つ使い捨てでなく、数倍長持ちする広面清掃具となす。
【課題を解決するための手段】
【０００８】
本発明は、メラミンフォーム、ポリウレタンフォーム、ナイロンわし 、研磨材入り不織布などのポンジ体の多孔質弾性体で、床や壁の手垢や土埃を除去できる広面清掃具である。
【０００９】
被清掃物に当接させる清掃面と、清掃面の外線から延びる側面とを有し、多孔質の弾性素材が立体的に形成された弾性部材と清掃面の反対側を狭持するボックスとを備えた広面清掃具とする。
【００１０】
ボックスには、弾性部材を清掃面の外縁に沿う全周を内周係止片で狭持する突板状の係止片のホルダーを設け、弾性部材の側面に食込みを形成させることで弾性により脱落を防ぐ。  
【００１１】
弾性部材はボックスと係合し、弾性部材の清掃面と清掃面の反対との高さ比率が1：１〜２：1の高さ位置で狭持する食込み溝が形成される。
【００１２】
ボックスの両短側面を開放し、弾性部材を対面係止片に沿って前後にスライドさせて、該弾性部材の先頭端部を露出させる構造で被清掃隅部の細部清掃を容易にする。          
【発明の効果】
【００１３】
ボックス開口部で内部に折り返した、内周係止片または対面係止片は弾性部材の清掃面と清掃面の反対との高さ比率が1：１〜２：1の高さ位置で狭持して食込み溝が形成されるので、弾性部材の脱落を保持する。
【００１４】
引張り力に弱く破れやすい弾性部材への圧力分散と形状保持により、弾性部材の縮小が少なく、ぼろけたり、ちぎれる事もなく、素手による清掃よりも握りやすく、手も汚れず弾性部材の永続使用が可能となり数倍長持ちする。
【００１５】
外周が一回り大きめの弾性部材が、狭いボックス内に強制的に手で押し込まれる事により、弾性により弾性部材が切断されることなく、弾性部材周部がボックス開口部の外周にはみ出して、被清掃面とボックス開口部との厚さの間隔を保ち、且つ被清掃隅部での清掃機能も同時に果たす。
【００１６】
両短側面を開放されたボックスから、対面係止片に沿って食込み溝を前後にスライドさせて弾性部材の先頭端部を露出させることにより、被清掃隅部の清掃を容易にする。
【００１７】
作業時には、弾性部材を含水させた後 、ボックスの押握面を流し台等に押し付けるだけで、外周にはみ出した該弾性部材の水切りも片手で適度に出来る。
【００１８】
ボックスと押握面と内周係止片または対面係止片の一体成型が可能な単純構造で、型起こしや量産が安価である。
【図面の簡単な説明】
【００１９】
【図１】ボックス開口部の全周を狭持する内周係止片が、口の字型長方形の全体図。
【図２】挿入される直方体からなる弾性部材の全体図。
【図３】内周係止片または対面係止片により食込み溝が形成された断面図。
【図４】弾性部材の弾力により、弾性部材周部がボックスの押握面よりはみ出した平面図。
【図５】ボックス開口部全周を狭持する内周係止片に狭持する１周り大きい弾性部材の別図。
【図６】被清掃面と被清掃隅部の縁に、弾性部材の清掃面と弾性部材周部が密着する参考図。
【図７】狭持された弾性部材の弾性によるボックス内部の密着と反発と係止片の保持状態のイメージ断面図。
【図８】ボックスの両短側面を開放し、狭持された弾性部材を白色で強調した１組の対面係止片に沿ってスライドさせるボックスの裏面図。
【図９】両短側面を開放されたボックスから弾性部材の先頭部を露出させて被清掃隅部を清掃する作業図。
【図１０】ボックスの押握面を持って広面の清掃作業を行う参考図。
【発明を実施するための形態】
【００２０】
メラミンフォーム材、ポリウレタンフォーム材、ナイロン不織布材、研磨材入り不織布材などの多孔質体を、弾性素材としてボックスのボックス開口部より一回り大きめの弾性部材を手で押し込む。（図１、図２参照）
【００２１】
弾性部材は、内周係止片の押圧により食込み溝を形成するので、ボックスからの脱落防止となり、同時に弾性素材の弾力はボックスの内部で略均等に反発静止する。（図３、図７参照）
【００２２】
一回り大きめの弾性部材は素材弾力によりボックス開口部よりはみ出すので、弾性部材周部をボックスの外周に形成する。
【００２３】
被清掃面８とボックス開口部２との厚さ間隔を保ち、且つ被清掃隅部での清掃機能も同時に果たす。（図６参照）
【００２４】
ボックス開口部よりはみ出す弾性部材周部を、ボックスの長辺だけでなく短辺にも形成させてもよい。
【００２５】
さらに、ボックスの両短側面を開放することにより、弾性部材を対面係止片に沿ってスライドさせて、該弾性部材の先頭端部を露出する構造にして、被清掃隅部の細部清掃を容易にする構造とすることも可能である。（図８、図９参照）
【００２６】
ボックスの内部に保持された弾性部材は保護された状態で、押握面を握って被清掃面を被清掃隅部までも縦横に広面の清掃作業が行える。（図１０参照）
【００２７】
清掃作業の手作業をし易くする為に押握面を、分厚くまたは高くしてもよく、また弾性部材を薄く節約する為にボックスの内部を上げ底にしてもよい。
【００２８】
さらには、ボックスの形状は立方体に限らず、円柱体においても弾性部材を保持する係止片を螺旋状に該ボックス内部に形成して狭持する形状としてもよい。            
【実施例】
【００２９】
以下本発明の実施例を説明する。
手のひら大のメラミンフォーム材もしくはポリウレタンフォーム材のスポンジ状の多孔質体の
弾性素材をボックス開口部より一回り大きめの弾性部材を手で押し込んだ。（図１、図２参照）
【００３０】
弾性部材は、内周係止または片対面係止片の押圧により食込み溝を形成させられるので、ボックスからの脱落止めとなり、同時に弾性素材の弾力でボックスの断面内部で均等に反発静止した。（図３、図７参照）
【００３１】
一体成型されたボックスと内周係止または片対面係止片の厚さは、作業性と弾性部材を形状保持をしながら該弾性部材を切断することなく食い込む塩ビ材は１ｍｍが適度であった。
【００３２】
また、内周係止片及び対面係止片の幅は、ボックスの寸法と弾性素材の硬さや弾力に応じて、最適な脱落止効果を得るべく試行の結果、ボックスの係止片の幅：ボックス開口部の狭幅は、１：３〜１：７で保持力は適当であった。
【００３３】
一回り大きめの弾性部材は、ボックスの長辺だけでなく短辺にも弾性部材周部を形成させてもよく、弾性素材によりボックス開口部よりはみ出してボックスの外周に形成し、被清掃面とボックス開口部との厚さ間隔を保ち、且つ被清掃隅部への清掃機能も同時に効率良く果たした。（図６参照）
【００３４】
さらに、ボックスの両短側面を開放することにより、弾性部材を対面係止片に沿ってスライドさせて、該弾性部材の先頭端部を露出する構造で、被清掃隅部の細部清掃を容易にするボックスの構造も実施した。（図８、図９参照）
【００３５】
このようにボックスの内部に保持された弾性部材は、押握面を握って保護されて被清掃面を被清掃隅部までも、縦横にして広面の清掃作業を行うことが可能となった。（図１０参照）    
【産業上の利用可能性】
【００３６】
メラミンフォーム材、ポリウレタンフォーム材、ナイロン不織布材、研磨材入り不織布材などの多孔質体は弾性素材として清掃材として広く応用されている。
【００３７】
汚れ・ゴミ・手垢・土埃の除去は人力による余地が多く残されており、汚れ状況は、汚れた場所や汚れ状況により、目的に応じてより適切な除去道具が求められており、
【００３８】
床や壁の手垢や土埃を手軽に除去できる比較的広い面清掃具として、産業分野や生活分野に提供することが出来る。
【符号の説明】
【００３９】
１  ボックス
２  ボックス開口部
３  内周係止片
４  対面係止片
５  食込み溝
６  弾性部材
７  弾性部材周部      
８  被清掃面
９  被清掃隅部            
10  清掃面  
11  押握面
【図１】
2018099220.tif 000003
【図２】
2018099220.tif 000004
【図３】
2018099220.tif 000005
【図４】
2018099220.tif 000006
【図５】
2018099220.tif 000007
【図６】
2018099220.tif 000008
【図７】
2018099220.tif 000009
【図８】
2018099220.tif 000010
【図９】
2018099220.tif 000011
【図１０】
2018099220.tif 000012